(57)【要約】      （修正有）【課題】カプセル型付箋ディスペンサーを提供する。【解決手段】二円筒型筐体を組み合わせてなるカプセル型本体の組合せを備えてなり、該組合せた両端は丸いカーブ面で、周面には、該本体が平らに置かれるための平面１４が設けられており、本体の内部は複数の仕切板で、複数の収納空間１２に仕切られ、そこに、異なった形態の長方形のポップアップ式蛍光フィルム付箋２を納められるが、該蛍光フィルム付箋はそれぞれ、両端が矢印部、尖った錐形部に設けられるが、そして、それぞれ、周面にスロット１３が設けられ、そこから連続して取り出し、使用できるように設けられており、本考案のカプセル型本体は、きれいな丸いカーブ形の外観を有してなり、机に置かれたときに、装飾効果があること、付箋紙の取替えは、二円筒型筐体を軽く引き離せるだけで行われること、いつでも持ち歩き、マーク付けの表示に柔軟に利用できることを特徴とする。【選択図】図１
0003188528.tif 000002
【実用新案登録請求の範囲】
【請求項１】
それぞれ、左半筐体、右半筐体を組み合わせてなる組合せの二円筒型筐体を備えてなり、該組合せた本体は、長軸の両端は丸いカーブで、周面には机に置かれる平面が設けられており、該左半筐体、該右半筐体の内部にはそれぞれ、複数の仕切板が設けられ、それにより、該組合せた本体の内部を一個以上の収納空間に仕切られ、それぞれ、異なった形態のポップアップ式蛍光フィルム付箋セットを納められるが、それに、それぞれ該本体の長軸両側の周面にあるスロットから供給されることを特徴とするカプセル型付箋ディスペンサー。
【請求項２】
該左半筐体と該右半筐体を組み合わせた連結面はそれぞれ設置された連結穴と連結リブによって、相互にしっかりと結び付いていることを特徴とする請求項１に記載のカプセル型付箋ディスペンサー。
【請求項３】
該平面は、該本体の長軸と平行していることを特徴とする請求項１に記載のカプセル型付箋ディスペンサー。
【請求項４】
ポップアップ式蛍光フィルム付箋セットは長方形で、複数の蛍光フィルム付箋を相互に重ねてなり、各枚の蛍光フィルム付箋紙では、フィルムの片面は蛍光色付け層に、他面は粘着剤層に設けられ、該色付け層と該粘着剤層の範囲は同じく、相互に対応するように設けられ、そして、少なくとも、フィルム全体の長さの半分または半分以上が必要となり、最終の一枚は、粘着剤層の片面を固定シートに貼り付けて、ぴったりと収納空間に納められるようにし、ポップアップ式蛍光フィルム付箋セットが収納空間内で前後上下に揺れたりなどすることを減らし、それをうまく引き出せるように設けられていることを特徴とする請求項１に記載のカプセル型付箋ディスペンサー。
【請求項５】
一個以上で、収納空間内に納められるポップアップ式蛍光フィルム付箋セットは、一形態は、両端が矢印部に設けられ、もう一形態は、両端が尖った錐形部に設けられていることを特徴とする請求項１に記載のカプセル型付箋ディスペンサー。
【考案の詳細な説明】
【技術分野】
【０００１】
本考案は、付箋ディスペンサーの改良に関わり、標記用の付箋紙を収納するための付箋ディスペンサーを提供するが、中に仕切板で形成された収納空間を備えてなる二円筒型筐体を組み合わせてなり、該組合せた周面に平面があり、机などに置かれて使用されることになっている。
【背景技術】
【０００２】
一般的な粘着付箋紙・メモは、弱粘着性のある部分を、書き込み可能な材料の紙に付けてなり、メモ書き、いつでも書き込み、貼り付けが可能という利便性があるほかに、作業やマーク付けの表示機能を有し、一般的に、異なるいろいろな種類や色で、作業の補助として使用されている、簡単な包装でなる粘着付箋紙・メモセットであり、外観はおおよそ、長い板状、正方形や長方形で、大小なりの形をしており、文書作業に利便性のよいものとして使用されるが、マーク印を付ける必要がある場合、方向性を示す矢印の機能がなく、なかなか十分な機能を発揮することができず、マークを付ける必要がある付箋機能を求められたことに関して、それを改善する必要がある。
【０００３】
よく見られる付箋は細長い紙で、該紙の片面は全部、色付け層になっているのに対して、他面の局所に粘着剤層が設けられ、そして、粘着剤層は、紙全体の面積の約１／４か１／５だけを占めてなり、このような粘着付箋は、粘着剤層の占める面積が小さく、粘着力が弱く、該粘着剤層は設計上、その全体の長さの半分を超えないように設けられているから、粘着力がよくないこと、それに、どっちが粘着剤層なのか、どっちが無粘着層なのか識別しにくく、使用の時、迷ったりすること。
【０００４】
それに鑑みて、付箋紙を文書の作業に利便性のよいものとして作るため、それを収納する筐体が机に置かれるように設けられ、持ち歩いて、いつでも取り出して作業に使用できるように設けられ、更に、半透明フィルムに多種な蛍光塗料で塗布され、その表面に書き入れが可能になることから、本考案の付箋は繊細で実用性のあるオリジナルな作品となっている。
【考案の開示】
【考案が解決しようとする課題】
【０００５】
本考案は、持ち歩ける利便性があるほかに、机に置かれるように設けられ、使用者の多様な使用ニーズに対応可能で、より柔軟に利用できる、という利便性のよい使用効果を有する新しいカプセル型付箋ディスペンサーを提供することを第１の目的とする。
【０００６】
本考案は、単一付箋紙にあっては、面積の半分以上を蛍光色付け層に、蛍光色付け層との反対面における面積の半分以上を、粘着剤層に設けるようにし、蛍光色による目立った視覚効果で、顕著なマーク付けの表示効果を持たせると同時に、付箋紙の面積の半分以上になる粘着剤層で、よりしっかりと貼り付けられ、色付け層の反対面は、粘着剤層であることが明確に分かるから、うっかりと、そこに手を付けたりして、粘着性を減らすようなことを避けられる、ポップアップ式蛍光フィルム付箋を納められる付箋ディスペンサーを提供することを第２の目的とする。
【課題を解決するための手段】
【０００７】
上述した目的を達成させるため、本考案の技術手段として、二円筒型筐体を組み合わせてなるカプセル型本体の組合せを備えてなり、該組合せの両端は丸いカーブ面で、周面には、該本体が平らに置かれるための平面が設けられており、本体の内部は複数の仕切板で、複数の収納空間に仕切られ、そこに、異なった形態の長方形のポップアップ式蛍光フィルム付箋を納められるが、該蛍光フィルム付箋はそれぞれ、両端が矢印部、尖った錐形部に設けられるが、そして、それぞれ、周面にスロットが設けられ、そこから連続して取り出して、使用できるように設けられており、本考案のカプセル型本体は、きれいな丸いカーブ形の外観を有してなり、机に置かれたときに、装飾効果があること、付箋紙の取替えは、二円筒型筐体を軽く引き離せるだけで行われること、いつでも持ち歩き、マーク付けの表示に柔軟に利用できることを特徴とするカプセル型付箋ディスペンサーを特徴とする。
【０００８】
内部に複数の仕切板で、複数の収納空間に仕切られ、そこに納められるポップアップ式蛍光フィルム付箋は、二スロットから供給されるように設けられ、ポップアップ式蛍光フィルム付箋の一番上の一枚を外部に露出させるように設けられていることを特徴とする該付箋ディスペンサー。
【０００９】
該付箋ディスペンサー内のポップアップ式蛍光フィルム付箋は、両端がそれぞれ、矢印部、尖った錐形部に設けられ、そして、それぞれ両矢印型、尖った錐形型に形成される、ポップアップ式蛍光フィルム付箋であることを特徴とする。
【図面の簡単な説明】
【００１０】
【図１】本考案の付箋ディスペンサーの分解図である。
【図２】本考案の二種類の単一蛍光フィルム付箋の分解図である。
【図３】本考案の二種類のポップアップ式蛍光フィルム付箋セットの分解図である。
【図４】本考案の二種類のポップアップ式蛍光フィルム付箋を付箋ディスペンサーに納められたイメージ図である。
【図５】本考案の付箋ディスペンサーの周面の平面図である。
【図６】本考案の付箋ディスペンサーが机に置かれたときのイメージ図である。
【考案を実施するための形態】
【００１１】
本考案は、付箋ディスペンサーの改良に関わり、図１に示すのは、本考案の付箋ディスペンサーの分解図であり、本考案は、二円筒型筐体を組み合わせてなるカプセル型本体の組合せを備えてなり、該組合せの両端は丸いカーブ面で、付箋ディスペンサーの該本体（１）は、組合せの二円筒型筐体をそれぞれ、左半筐体（１０）、右半筐体（１１）を組み合わせてなり、該左半筐体（１０）、該右半筐体（１１）の内部にはそれぞれ、複数の左仕切板（１００）、複数の右仕切板（１１０）が設けられ、組合せた本体（１）の内部を、複数の左仕切板（１００）及び複数の右仕切板（１１０）によって、一個以上の収納空間（１２）に仕切られ、それぞれ、異なった形態の長方形のポップアップ式蛍光フィルム付箋（２）を納められるが、該左半筐体（１０）は、該左仕切板（１００）の連結面の周縁に一組の連結穴（１０１）が設けられ、該右半筐体（１１）は、該右仕切板（１１０）の連結面の周縁に、それに対応した一組の連結リブ（１１１）があり、それによって、該左半筐体（１０）と該右半筐体（１１）を相互に結びつけるように設けられるが、該本体（１）は、組み合わせた連結面の長軸両側の周面にそれぞれスロット（１３）があり、それをそれぞれ、一個以上の収納空間（１２）内に納められた該ポップアップ式蛍光フィルム付箋（２）に対応した供給口として設けられるが、該スロット（１３）の外部には、ポップアップ式蛍光フィルム付箋（２）の一番上の一枚を露出させるようにし、連続して取り出して使用できるように設けられており、該組合せた本体（１）の両端は丸いカーブ面で、周面に一平面（１４）があり、該平面（１４）は、該本体（１）の長軸と平行するように設けられ、該本体（１）は机に平らに置かれ、転がったりしないように設けられていることを特徴とするカプセル型付箋ディスペンサー。
【００１２】
図２に示すように、付箋ディスペンサーの収納空間内に、異なった形態の長方形の一ポップアップ式蛍光フィルム付箋（２）を納められており、ポップアップ式蛍光フィルム付箋セットは、複数のポップアップ式蛍光フィルム付箋（２）を相互に重ねてなり、一定の高さを有しており、各枚のポップアップ式蛍光フィルム付箋（２）は、材質が透明または半透明のフィルム（２０）で、任意な幾何形に設けられてもよいが、該フィルム（２０）の片面は、各種の蛍光塗料で構成された色付け層（２１）で、他面は粘着剤層（２２）を有しており、本考案の該フィルム（２０）は、両端にぞれぞれ、矢印部（２３）、尖った錐形部（２４）に設けられ、それぞれ両矢印型、尖った錐形型のポップアップ式蛍光フィルム付箋（２）に形成され、表示機能として使用されるが、それに、該フィルム（２０）の表面範囲は、いずれかの一端の矢印部（２３）、またはいずれかの一端の尖った錐形部（２４）を含み、フィルム（１）全体の長さの半分または半分以上を超えることを必要とし、本例の該フィルム（２０）は、透明または半透明型に設けられてもよいが、該両矢印型ポップアップ式蛍光フィルム付箋（２）の該色付け層（２１）及び該粘着剤層（２２）はその一端の矢印部（２３）を含み、それに、該色付け層（２１）と該粘着剤層（２２）の範囲は同じで、相互に対応し、その面積はフィルム（２０）全体の長さの約２／３を占め、残りの約１／３の長さは、無色層（２１）と無粘着剤層（２２）になっており、それによって、図２の（ａ）に示すように、両矢印型蛍光フィルム付箋（２）に設けられるが、本考案の付箋紙のもう一つの形態をしている該フィルム（２０）は長方形で、透明または半透明型に設けられてもよく、両端がそれぞれ尖った錐形部（２４）になっており、該色付け層（２１）と該粘着剤層（２２）の範囲は同じで、相互に対応し、その面積はフィルム（２０）全体の長さの２／３を占め、残りの１／３の長さは、無色層（２１）と無粘着剤層（２２）になっており、それによって、図２の（ｂ）に示すように、尖った錐形型ポップアップ式蛍光フィルム付箋（２）に設けられている。
【００１３】
図３、図４に示すように、上述した単一両矢印型蛍光フィルム付箋は実際に、組み合わせた形態になったとき、複数のフィルム（２０）を取り入れ、その一フィルム（２０）をベースとし、もう一つのフィルム（２０）の色付け層（２１）とベースのフィルム（２０）の色付け層（２１）を互い違いに重ねてなり、そのように、各枚のフィルム（２０）の色付け層（２１）の位置を互い違いにして、該粘着剤層（２２）の位置も互い違いになり、図３の（ａ）に示すように、両矢印型ポップアップ式蛍光フィルム付箋セットに設けられるが、もう一つは尖った錐形型ポップアップ式蛍光フィルム付箋（２）だが、半面の粘着剤層（２２）を有する片面を、次のフィルム（２０）に貼り付け、各枚の該粘着剤層（２２）は互い違いに配置して、重ねてなり、図３の（ｂ）に示すように、尖った錐形型ポップアップ式蛍光フィルム付箋セットに設けられるが、両矢印型、尖った錐形型のポップアップ式蛍光フィルム付箋セットは、最後の一枚の粘着剤層（２２）を有する片面を、固定シート（３）に貼り付けるようにするが、該固定シート（３）は、透明プラスチックシートで、その面積は、両矢印型、尖った錐形型の蛍光フィルム付箋の一枚の大きさよりやや大きく設けられ、それで、ぴったりと収納空間に納められるようにし、ポップアップ式蛍光フィルム付箋セットが収納空間内で、前後上下に揺れたりなどすることを減らし、図４に示す二種類のポップアップ式蛍光フィルム付箋を付箋ディスペンサーに納められたイメージに示すように、それを本体（１）の周面の対向面にある二スロット（１３）から、それぞれうまく引き出せるように設けられている。
【００１４】
上述した両矢印型、尖った錐形型ポップアップ式蛍光フィルム付箋セットは使用の時、無粘着剤層（２２）の矢印部から引き出されるが、色付け層（２１）と粘着剤層（２２）は、粘着剤層（２２）の粘着性で、次のフィルム（２０）の無色層（２１）と粘着剤層（２２）の矢印部を引き出すようになり、それと同様に、尖った錐形型ポップアップ式蛍光フィルム付箋（２）は、半面の粘着剤層（２２）を有する片面が、次のフィルム（２０）を引き出して、それで、連続して取り出し、使用できるようになっている。
【００１５】
該フィルム（２０）は、両端が矢印部、尖った錐形部に設けられており、片面を書類のところに貼り付け、マーク付けや表示機能を有すると同時に、表面の色付け層（２１）は、顕著な識別機能と視覚效果を有しており、一方、使用の時、尖った部分を有することで、使用者が指でそれを簡単に取り出し、取外すのも簡単になること、無色層（２１）のフィルム（２０）の部分を見たら、他面は無粘着剤層（２２）であることを示すことから、使用者が安心して、指でうまく取り出すことができる。
【００１６】
図５、図６に示すように、本考案の組合せの左半筐体（１０）、右半筐体（１１）を組み合わせてなる付箋ディスペンサーの本体（１）はそれぞれ、対応した連結穴と連結リブで、相互にしっかりと結び付けるように設けられ、該本体（１）の内部にある一個以上の収納空間内にはそれぞれ、異なった形態のポップアップ式蛍光フィルム付箋（２）が納められており、該スロット（１３）から供給される、異なった形態のポップアップ式蛍光フィルム付箋セットは長方形で、一セットの両端は矢印部に設けられ、もう一セットの両端は、尖った錐形部に設けられており、使い切れたとき、両手で、左半筐体（１０）、右半筐体（１１）を両側に軽く引き離せたら、付箋紙の取替えが行われることになっており、本考案は、きれいな丸いカーブ形の外観を有してなり、机に置かれるための一平面（１４）があり、装飾効果を備えたものであり、いつでも持ち歩き、マーク付けの表示に柔軟に利用できることで、使用者の多様な使用ニーズに対応可能で、より柔軟に利用できる、という利便性のよい使用効果を有する新しいカプセル型付箋ディスペンサーを提供する。
ただし、上述したのは、本考案の好適な実施例が掲示された内容のみであり、本明細書や図面に基づき、その構造の改造などを行い、それと同等な効果を得たとしても、それらは全て、本考案の実用新案登録請求範囲に含まれることをここで述べておく。
【符号の説明】
【００１７】
１      本体
２      ポップアップ式蛍光フィルム付箋
３      固定シート
１０    左半筐体
１１    右半筐体
１２    収納空間
１３    スロット
１４    平面
２０    フィルム
２１    無色層
２２    無粘着剤層
２３    矢印部
２４    錐形部
【図１】
0003188528.tif 000003
【図２】
0003188528.tif 000004
【図３】
0003188528.tif 000005
【図４】
0003188528.tif 000006
【図５】
0003188528.tif 000007
【図６】
0003188528.tif 000008
【手続補正書】
【提出日】平成25年11月11日(2013.11.11)
【手続補正１】
【補正対象書類名】実用新案登録請求の範囲
【補正対象項目名】請求項４
【補正方法】変更
【補正の内容】
【請求項４】
ポップアップ式蛍光フィルム付箋セットは長方形で、複数の蛍光フィルム付箋を相互に重ねてなり、各枚の蛍光フィルム付箋紙では、フィルムの片面は蛍光色付け層に、他面は粘着剤層に設けられ、該色付け層と該粘着剤層の範囲は同じく、相互に対応するように設けられ、そして、少なくとも、フィルム全体の長さの半分または半分以上が必要となり、最終の一枚は、粘着剤層の片面を固定シートに貼り付けて、ぴったりと収納空間に納められるようにし、ポップアップ式蛍光フィルム付箋セットが収納空間内で前後上下に揺れるのを減らす構造とすることを特徴とする請求項１に記載のカプセル型付箋ディスペンサー。